(57)【特許請求の範囲】
【請求項１】
箱型の本体箱体と、
前記本体箱体内に組付けられたファンケーシングと、
前記ファンケーシングに収容された給気送風機と、
前記ファンケーシングの吹出口に折り畳み可能に設置されたシャッターとを有し、
前記シャッターは、前記吹出口の縁に回動自在に固定された第１のシャッター板と、前記第１のシャッター板の前記吹出口の縁に固定された端と対向する端に、回動自在に連結された第２のシャッター板とを備え、
前記第２のシャッター板は、前記吹出口を塞いだ状態及び前記吹出口を開放した状態で前記シャッターを固定する固定手段を備えることを特徴とする換気装置。
【請求項２】
前記第２のシャッター板は、前記固定手段による前記シャッターの固定を解除する操作用の取っ手を備えることを特徴とする請求項１に記載の換気装置。
【請求項３】
前記第１のシャッター板及び前記第２のシャッター板は、前記シャッターが前記吹出口を塞いだ状態において、互いの一部が重なることを特徴とする請求項１又は２に記載の換気装置。
【請求項４】
前記吹出口の縁に、リブが形成されていることを特徴とする請求項１から３のいずれか１項に記載の換気装置。
【発明の詳細な説明】
【技術分野】
【０００１】
本発明は、外気を室内へ供給する換気装置に関する。
【背景技術】
【０００２】
特許文献１には、室外の空気を室内へ取り入れる給気用ダクト扇が開示されている。特許文献１では、外気侵入防止シャッターの開閉動作は、換気装置の運転に連動している。
【０００３】
特許文献２には、長期間使用しない場合には、風路にシャッターを挿入して閉止することで外気侵入を防止する換気装置が開示されている。特許文献２では、シャッターの開閉動作は換気装置の運転に連動していない。
【先行技術文献】
【特許文献】
【０００４】
【特許文献１】特開平６−２２９６０７号公報
【特許文献２】特許第４６８５４７６号公報
【発明の概要】
【発明が解決しようとする課題】
【０００５】
しかしながら、換気装置は、外気を室内へ強制給気する機能と自然給気口の機能とを兼ねており、特許文献１のようにシャッターが換気装置の運転と連動して開閉すると、自然給気口の機能が成り立たない。
【０００６】
また、特許文献２に記載の換気装置のシャッターは、長期間使用しない場合には、風路を閉止することが可能であるが、普段の使用においてシャッターを閉じたい時には、エンドユーザーはフィルター枠を本体から外して、シャッターをフィルター枠内に入れる必要があり、手間がかかる。また、シャッターを開ける時も同様に、フィルター枠を本体から取り外してフィルターを取り外さなければいけない。さらに取り外したシャッターは紛失する可能性もある。
【０００７】
本発明は、上記に鑑みてなされたものであって、自然給気口の機能を兼ね備え、シャッターの開閉が容易でシャッターの紛失の恐れがない換気装置を得ることを目的とする。
【課題を解決するための手段】
【０００８】
上述した課題を解決し、目的を達成するために、本発明は、箱型の本体箱体と、本体箱体内に組付けられたファンケーシングとを有する。また、本発明は、ファンケーシングに収容された給気送風機と、ファンケーシングの吹出口に折り畳み可能に設置されたシャッターとを有する。
【発明の効果】
【０００９】
本発明によれば、自然給気口の機能を兼ね備え、シャッターの開閉が容易でシャッターの紛失の恐れがない換気装置を得られるという効果を奏する。
【図面の簡単な説明】
【００１０】
【図１】本発明の実施の形態１に係る換気装置の断面図
【図２】実施の形態１に係る換気装置の化粧パネルを開けた際の斜視図
【図３】実施の形態１に係る換気装置のフィルター枠及びドレンタンクの斜視図
【図４】実施の形態１に係る換気装置のフィルター枠及びドレンタンクの側面図
【図５】実施の形態１に係る換気装置のシャッターを開閉途中の状態を示す図
【図６】実施の形態１に係る換気装置の反風路側を示す断面図
【図７】実施の形態１に係る換気装置の分解図
【発明を実施するための形態】
【００１１】
以下に、本発明の実施の形態に係る換気装置を図面に基づいて詳細に説明する。なお、この実施の形態によりこの発明が限定されるものではない。
【００１２】
実施の形態１．
図１は、本発明の実施の形態１に係る換気装置の断面図である。図２は、実施の形態１に係る換気装置の化粧パネルを開けた際の斜視図である。図３は、実施の形態１に係る換気装置のフィルター枠及びドレンタンクの斜視図である。図４は、実施の形態１に係る換気装置のフィルター枠及びドレンタンクの側面図である。図５は、実施の形態１に係る換気装置のシャッターを開閉途中の状態を示す図である。図６は、実施の形態１に係る換気装置の反風路側を示す断面図である。図７は、実施の形態１に係る換気装置の分解図である。実施の形態１に係る換気装置は、箱型で樹脂製の本体箱体１の大半が天井裏空間に収まるように建物の天井構造に取付けられ、ダクトを介して流れ込んだ室外の空気を室内へ給気する。換気装置は、本体箱体１と、本体箱体１内に組付けられた給気送風機２と、本体箱体１の一側面に設けられた室外吸込口３に係脱可能に装着されるダクト接続枠４と、本体箱体１の下面の開口部に装着される化粧パネル５とから構成されている。
【００１３】
本体箱体１は、側面に室外吸込口３が形成され、底面が開放されている。給気送風機２は多翼式であり、電動機１３で羽根２ａを回転させることにより、本体箱体１の一側面の室外吸込口３から本体箱体１の下面に配置された化粧パネル５に向かう給気流を形成するものである。給気送風機２を収容するファンケーシング７は、室外吸込口３に通じる吸込口８と、本体箱体１の底面側に開口した吹出口１０とを有し、本体箱体１内に組付けられている。ファンケーシング７は、室外空気の吸込口８と、室内側への吹出口１０と、吹出口１０に向かう給気流を形成するスクロール室９とを有する。吸込口８の上流には空気浄化フィルター１１が設置されており、室内側の吹出口１０には折り畳み可能なシャッター１２が設置されている。ファンケーシング７の吹出口１０からの給気流は、本体箱体１のフランジ部４６と化粧パネル５との間の吐出口６から室内へ給気される。このように、給気送風機２は、本体箱体１の内部に設置されて、吸込口８から空気を吸い込んで本体箱体１の底面から吹き出す気流を形成する。換言すると、給気送風機２は、ファンケーシング７に収容され、吸込口８から吹出口１０へ向かう気流を形成する。
【００１４】
空気浄化フィルター１１はフィルター枠２４内に収められる。フィルター枠２４は、空気浄化フィルター１１を保持し、給気流におけるファンケーシング７の上流側に、本体箱体１の底面を通じて、本体箱体１内に設置される。フィルター枠２４は、空気浄化フィルター１１が吸込口８を覆うように、設置される。フィルター枠２４の下部にはドレンタンク３７が着脱可能に取付けられる。フィルター枠２４は、薄肉部５８で形成されたヒンジの部分で折り畳まれ、空気浄化フィルター１１は、外周をフィルター枠２４のリブ５９と溝６０で挟み込むように固定される。また、フィルター枠２４は、薄肉部５８と逆側の端部に設けられたタンク取り付け部２４ａにドレンタンク３７へ通じる穴３８を有し、霧発生時の給気にミスト状の水滴が含まれる場合には、結露により空気浄化フィルター１１から滴下する水滴をドレンタンク３７へ排出できる構造となっている。
【００１５】
ドレンタンク３７は、フィルター枠２４のタンク取り付け部２４ａに設けられた溝３９へフランジ部４１をスライドさせて挿入し、フィルター枠２４のタンク取り付け部２４ａに設けられたダボ穴４０とドレンタンク３７のダボ４２とを係合させて固定される。図３を用いて説明すると、ドレンタンク３７を図３の矢印Ａの向きにスライドさせることで、ドレンタンク３７がフィルター枠２４に固定され、ドレンタンク３７を図３の矢印Ａと逆の向きにスライドさせることで、ドレンタンク３７がフィルター枠２４から取り外される。ドレンタンク３７は、フィルター枠２４に対して着脱可能な構造であるため、ドレン水が溜まってもドレンタンク３７をフィルター枠２４から外して清掃できる。
【００１６】
空気浄化フィルター１１は、化粧パネル５を開けた状態でメンテナンスすることが可能である。ドレンタンク３７は、幅方向の中央部がくびれた形状をしており、くびれた部分に片持ち梁状に突起４３が設けられている。ドレンタンク３７は、本体箱体１内に設置された本体カバー５７の側面に開けられた穴４５に嵌合する弾性力を持った突起４３を有することにより、フィルター取り外し操作に関わる構造を備えている。フィルターを取り外す際には、突起４３のつまみ部４４をつまんで引き抜くことで、突起４３が本体カバー５７の穴４５から外れ、フィルター枠２４を抜くことができる。ドレンタンク３７は、フィルター枠２４に係合する構造であるダボ４２と、本体箱体１の底面を通じて操作可能な操作部であるつまみ部４４とを備えており、つまみ部４４を操作することにより、フィルター枠２４とドレンタンク３７とが一体的に本体箱体１に着脱される。このため、ドレンタンク３７の着脱が容易である。
【００１７】
フィルター引抜時には、ファンケーシング７の吸込口８側に設けた溝６１にフィルター枠２４のリブ２５が係合し、ガイド機能を果たす。溝６１及びリブ２５は、印籠構造であるため、ファンケーシング７とフィルター枠２４との隙間を通じて室外から虫及び異物が侵入することを防止できる。
【００１８】
シャッター１２は、第１のシャッター板３０及び第２のシャッター板３１から構成され、第１のシャッター板３０には、本体カバー５７の回転軸受２３と嵌合する回転軸３２と第２のシャッター板３１の回転軸３４を受ける回転軸受３３とが一体で形成されている。第２のシャッター板３１には、回転軸３４と取っ手３５とが一体で形成されている。すなわち、シャッター１２は、吹出口１０の縁に回動自在に固定された第１のシャッター板３０と、第１のシャッター板３０の吹出口１０の縁に固定された端と対向する端に、回動自在に連結された第２のシャッター板３１とを備える。
【００１９】
シャッター１２の閉時は、ファンケーシング７の吹出口１０は第１のシャッター板３０と第２のシャッター板３１とで隙間がないように覆われ、ファンケーシング７の吹出口１０の外形に沿って設けた本体カバー５７のリブ３６で密閉性を高めている。また、第１のシャッター板３０と第２のシャッター板３１とは、閉じた時にラップ代が出るような寸法関係となっており、第１のシャッター板３０と第２のシャッター板３１との間からの風が漏れないような構造となっている。すなわち、第２のシャッター板３１の回転軸３４は、第１のシャッター板３０側の端よりも、第１のシャッター板３０から離れた部分に設けられており、第２のシャッター板３１の一部は、回転軸３４よりも第１のシャッター板３０側に張り出している。このため、第１のシャッター板３０及び第２のシャッター板３１は、シャッター１２が吹出口１０を塞いだ状態において、互いの一部が重なる。
【００２０】
シャッター１２の開時は、第１のシャッター板３０及び第２のシャッター板３１は互いに折り畳まれた状態で爪２７によって固定され、シャッター１２の閉時は、エンドユーザーは第２のシャッター板３１の取っ手３５をファンケーシング７の吹出口１０側へ操作し、第１のシャッター板３０及び第２のシャッター板３１が同じ平面内に配置されるように開き、ファンケーシング７の吹出口１０を覆い隠し、第２のシャッター板３１の固定用シャフト６２が爪２８に嵌合して固定される。このように、第２のシャッター板３１は、吹出口１０を塞いだ状態でシャッター１２を固定する固定手段である固定用シャフト６２を備えている。また、第２のシャッター板３１の爪２７と係合する部分は、吹出口１０を開放した状態でシャッター１２を固定する固定手段となる。また、第２のシャッター板３１は、固定用シャフト６２によるシャッター１２の固定を解除する操作用の取っ手３５を備える。シャッター１２は、給気送風機２よりも給気流の下流側に設置されているため、本体箱体１の底面から開閉操作を容易に行うことができる。
【００２１】
給気送風機２のファンケーシング７について詳細な構造を説明する。吸込口８は円形の開口に角アールにより丸みがついている主吸込口２１とスクロール室９の形状に沿って開けられた長方形状の副吸込口２２とを備える。実施の形態１に係る換気装置は、運転されていない場合は、自然給気口となるため、住宅に必要な有効開口面積を確保する必要があり、主吸込口２１のみの開口で不足する有効開口面積を副吸込口２２で補っている。
【００２２】
給気送風機２の電動機１３は、本体箱体１を風路側と反風路側とに仕切るように縦に設けられた電動機取付板１４の反風路側に取付けられている。電動機取付板１４の反風路側には、コンデンサ１５及び電源線を接続する端子台１６、電源スイッチ１７を端子ケース１８内に収納して配置している。電源スイッチ１７の下方には、スイッチ蓋７１が設置されており、電源スイッチ１７を操作する場合のみスイッチ蓋７１を開いて電源スイッチ１７を露出させることができる。また、端子台１６の下方には、端子カバー７２が設置されており、電源線を接続する作業を行う時のみ端子台１６を露出させるようになっている。電動機取付板１４と端子ケース１８との間には、端子ケース１８内に結露が生じることを防止する断熱材７３が配置されている。
【００２３】
端子ケース１８の形状は施工時に電源線の通しやすさに配慮した形状となっており、電源線を本体箱体１背面のゴムブッシュ１９から通し端子台１６側へ配線する際に、端子ケース１８のガイド形状２０により途中で電源線が引っかからないようにしている。即ち、端子ケース１８は、図６の紙面の左右方向において、端子台１６に近いほど図６の紙面の下方向に傾斜したガイド形状を備えるため、ゴムブッシュ１９を通した電源線は端子台１６の方へ誘導される。
【００２４】
本体箱体１のフランジ部４６は意匠面を兼ね、フランジ部４６の下面に一体で形成した回転軸４７と引掛部４８とを有する。化粧パネル５は、本体箱体１のフランジ部４６を覆い隠す大きさであり、回転軸４７に挿入される回転軸受部４９と引掛部４８に掛かる引掛部５０とを設け、回転軸４７の嵌め込みと引掛部４８の弾性力を利用した構造となっている。
【００２５】
化粧パネル５の反室内側には、断熱部材５１が取付けられる。断熱部材５１の端面は面取り形状となっており、本体箱体１の吐出口６へ近づくにつれ開口面積が広がっていく。また、断熱部材５１は複数の支柱５３を有し、隣り合う支柱５３間に風向調整板５５を、断熱部材５１のガイド突起５４に風向調整板５５のガイド溝５６をスライドして嵌め込むことで風向規制し、風向をエンドユーザーが変更可能な構造となっている。
【００２６】
換気装置は、本体箱体１のフランジ部４６の１辺に沿う２隅に設けた長円形状の取付穴５２を通して木ねじ６７を建物側にネジ止めすることで、建物側の野縁に固定され、さらに、本体箱体１のフランジ部４６の残りの２隅に設けたフック状の固定金具６３を建物の天井裏で広げることで天井に固定される。換気装置は、ねじ隠しプレート６４で木ねじ６７を隠すことにより意匠性を向上させている。本体箱体１のフランジ部４６の１辺に沿う２隅に設けた二つの取付穴５２は、本体箱体１の底面の中心側の間隔が広くなるように、ハの字型に設けられている。長円形状の二つの取付穴５２をハの字型に設けることにより、製品の傾きを微調整することが可能である。ねじ隠しプレート６４は木ねじ固定部２ヶ所と固定金具部２ヶ所とダクト接続口固定部１ヶ所との合計５ヶ所において同一部品でねじ６６及び木ねじ６７を隠すことが可能である。
【００２７】
固定金具６３は、換気装置を天井裏空間へ収めた後、ねじ６６を締め付けることで、本体箱体１のフランジ部４６の固定金具案内ガイド６５に沿って下に移動し天井材を挟み込んで固定する。
【００２８】
実施の形態１に係る換気装置は、自然給気口の機能を兼ね備え、シャッターの開閉が容易でシャッターの紛失の恐れがない。また、実施の形態１に係る換気装置は、ヒンジ構造により折り畳み可能なシャッターを備えるため、本体箱体の小型化を図ることができる。また、実施の形態１に係る換気装置は、シャッターを備えることにより、換気装置を設置した建物の断熱効率を高め、省エネルギーを実現できる。また、実施の形態１に係る換気装置は、本体箱体の小型化を図ることで、梱包資材に使用量を低減できる。
【００２９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３０】
１  本体箱体、２  給気送風機、２ａ  羽根、３  室外吸込口、４  ダクト接続枠、５  化粧パネル、６  吐出口、７  ファンケーシング、８  吸込口、９  スクロール室、１０  吹出口、１１  空気浄化フィルター、１２  シャッター、１３  電動機、１４  電動機取付板、１５  コンデンサ、１６  端子台、１７  電源スイッチ、１８  端子ケース、１９  ゴムブッシュ、２０  ガイド形状、２１  主吸込口、２２  副吸込口、２３，３３  回転軸受、２４  フィルター枠、２４ａ  タンク取り付け部、２５，３６，５９  リブ、２７，２８  爪、３０  第１のシャッター板、３１  第２のシャッター板、３２，３４，４７  回転軸、３５  取っ手、３７  ドレンタンク、３８，４５  穴、３９，６０，６１  溝、４０  ダボ穴、４１，４６  フランジ部、４２  ダボ、４３  突起、４４  つまみ部、４８，５０  引掛部、４９  回転軸受部、５１  断熱部材、５２  取付穴、５３  支柱、５４  ガイド突起、５５  風向調整板、５６  ガイド溝、５７  本体カバー、５８  薄肉部、６２  固定用シャフト、６３  固定金具、６４  ねじ隠しプレート、６５  固定金具案内ガイド、６６  ねじ、６７  木ねじ、７１  スイッチ蓋、７２  端子カバー、７３  断熱材。
【図１】
0006429738.tif 000002
【図２】
0006429738.tif 000003
【図３】
0006429738.tif 000004
【図４】
0006429738.tif 000005
【図５】
0006429738.tif 000006
【図６】
0006429738.tif 000007
【図７】
0006429738.tif 000008